【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
符号語構成比（ＣＣＲ）を使用する適応ＦＥＣ符号器用の制御装置であって、前記ＣＣＲは適用できるＦＥＣ符号化方式におけるペイロードバイト数とパリティバイト数の関係性を表す量または値であって、さらに前記ＦＥＣ符号器は、ＦＥＣ符号化、インタリーブ、元のネットデータ転送速度、および元の伝送レイテンシを使用して送信器がチャネルを介してデータを受信器に送信するＤＳＬシステムで使用され、
前記ＤＳＬシステムにおける伝送誤りを表す測定済みのデータ値である測定伝送誤り値（ＭＥＶ）を取得するように構成され、前記ＤＳＬシステムに結合されるデータモジュールと、
前記ＤＳＬシステムにおける伝送誤りのための目標データ値である目標伝送誤り値（ＴＥＶ）に対して前記ＭＥＶを解析するように構成され、前記データモジュールに結合される解析モジュールであって、
さらに、前記ＤＳＬシステムの履歴性能データを使用して前記ＴＥＶを達成するために、調整されたＦＥＣ符号化を実現することを必要とされる前記ＣＣＲに対する任意の調整を繰り返し決定するように構成される前記解析モジュールであって、
さらに、前記ＴＥＶを達成するために前記調整されたＦＥＣ符号化を実現するための前記ＣＣＲに対する任意の調整に基づき、前記元の伝送レイテンシを保つために必要とされる前記送信器インタリーブに対する任意の調整を決定するように構成される前記解析モジュールと、
前記ＤＳＬシステムに対して、
前記ＴＥＶを達成するために調整されたＦＥＣ符号化を実現するために前記解析モジュールによって決定される前記ＣＣＲに対する任意の調整と、
前記元の伝送レイテンシを保つために前記解析モジュールにより決定される前記送信器インタリーブに対する任意の調整と、
を実現するように命令する制御信号を発生するように構成され、前記解析モジュールに結合される制御信号発生器と、
を備えた制御装置。
【請求項２】
前記ＣＣＲに対する調整が、インパルスノイズ保護値またはＩＮＰの少なくとも一つを使用して実現される、請求項１に記載の制御装置。
【請求項３】
前記ＣＣＲに対する調整が、パラメータＮ、Ｋ、Ｒ、またはＳの少なくとも一つを使用して実現される、請求項１に記載の制御装置。
【請求項４】
前記元の伝送レイテンシを保つための前記送信器インタリーブに対する調整が、パラメータＳ、またはＤの少なくとも一つを使用して実現される、請求項３に記載の制御装置。
【請求項５】
前記ＭＥＶが、ビット誤り率、誤り秒数、誤り分数、固定期間における符号違反回数、
前記受信器で測定された信号対雑音比、またはＴＣＰ／ＩＰスループットの少なくとも一つに基づく、請求項１に記載の制御装置。
【請求項６】
前記データモジュール、前記解析モジュール、および前記制御信号発生器が、コンピュータ可読プログラムコード、またはハードウェアの少なくとも一つとして実現される、請求項１に記載の制御装置。
【請求項７】
前記ＴＥＶが閾誤り率限界である、請求項１に記載の制御装置。
【請求項８】
前記解析モジュールに結合された履歴データモジュールをさらに備えた、請求項１に記載の制御装置。
【請求項９】
前記履歴データモジュールがデータベースである、請求項８に記載の制御装置。
【請求項１０】
前記制御装置が動的スペクトルマネージャを備える、請求項１に記載の制御装置。
【請求項１１】
前記データモジュールが前記ＭＥＶを表す入力信号を受け取る、請求項１に記載の制御装置。
【請求項１２】
データがチャネルにより送信器と受信器との間で伝送されるＤＳＬシステムでＦＥＣ符号化を調整する方法であって、さらに前記ＤＳＬシステムがＦＥＣ符号化、インタリーブ、元のネットデータ転送速度、および元の伝送レイテンシを使用し、
（ａ）ＦＥＣ符号化方式におけるペイロードバイト数とパリティバイト数との関係を表すＣＣＲを選択するステップと、
（ｂ）前記ＣＣＲ、前記ＦＥＣ符号化方式、前記元のネットデータ転送速度、および元の伝送レイテンシを使用して、前記チャネルを介してデータを伝送するステップと、
（ｃ）ＭＥＶを取得するステップと、
（ｄ）前記チャネル上での従前の伝送に関する履歴データを評価するステップを備える、前記ＭＥＶをＴＥＶと比較するステップと、
（ｅ）前記ＭＥＶが前記ＴＥＶと十分に大きく異なる場合に前記ＦＥＣ符号化を調整するために前記ＣＣＲを調整するステップと、
（ｆ）前記ＣＣＲに対する前記調整に基づき、前記送信器インタリーブに対する調整が前記元の伝送レイテンシを保つために必要とされるかどうかを評価するステップと、
（ｇ）必要とされる場合は、前記元の伝送レイテンシを保つために必要とされる前記調整を実現し、ステップ（ｂ）から（ｇ）を繰り返すステップと、
を備えた方法。
【請求項１３】
前記ＭＥＶを取得するステップが、前記通信システムの特性を直接測定するステップと、要素管理システムから値を収集するステップと、または収集されたデータから前記ＭＥＶを計算するステップとの少なくとも一つを備えた、請求項１２に記載の方法。
【請求項１４】
前記方法が制御装置によって実行される、請求項１２に記載の方法。
【請求項１５】
前記通信システムがＤＳＬシステムであり、さらに前記方法が制御装置によって実行される、請求項１２に記載の方法。
【請求項１６】
前記制御装置が、動的スペクトルマネージャである、ＣＯ内に存在する、ＣＯの外部に存在する、前記ＤＳＬシステムのオペレータである、または前記ＤＳＬシステムのどのオペレータからも独立している、請求項１５に記載の方法。
【請求項１７】
前記ＣＣＲがＫ／Ｎである、請求項１２に記載の方法。
【請求項１８】
前記ＣＣＲに対する調整が、インパルスノイズ保護値またはＩＮＰの少なくとも一つを使用して実現される、請求項１２に記載の方法。
【請求項１９】
前記ＣＣＲに対する調整が、Ｎ、Ｋ、ＲまたはＳの少なくとも一つを使用して実現される、請求項１２に記載の方法。
【請求項２０】
前記元の伝送レイテンシを保つための前記送信器インタリーブに対する調整が、パラメータＳまたはＤの少なくとも一つを使用して実現される、請求項１９に記載の方法。
【請求項２１】
前記ＭＥＶが、ビット誤り率、誤り秒数、誤り分数、固定期間における符号違反回数、前記受信器で測定された信号対雑音比、またはＴＣＰ／ＩＰスループットの少なくとも一つに基づく、請求項１２に記載の方法。
【請求項２２】
ステップ（ｂ）から（ｇ）が、コンピュータ可読プログラムコードによって実現される、請求項１２に記載の方法。
【請求項２３】
ステップ（ｂ）から（ｇ）がハードウェアによって実現される、請求項１２に記載の方法。
【請求項２４】
伝送チャネルと、
前記伝送チャネルに結合された送信器と、
前記送信器に結合された適応ＦＥＣ符号器と、
前記伝送チャネルに結合された受信器／複合器と、
前記受信器／複合器に結合された伝送誤り値監視装置であって、ビット誤り率、誤り秒数、誤り分数、固定期間における符号違反回数、前記受信器／複合器で測定された信号対雑音比、およびＴＣＰ／ＩＰスループットから構成される群の少なくとも一つに基づく伝送誤り値を監視して、入力信号を発生させるように動作する伝送誤り値監視装置と、
前記適応ＦＥＣ符号器と結合された請求項１に記載の制御装置と、
を備えた伝送システム。